(57)【特許請求の範囲】
【請求項１】
演奏部より上方に嵩上げされた嵩上部を前記演奏部の非演奏者側に備え、該嵩上部に譜面台が設置される電子鍵盤楽器であって、
前記譜面台は、前記嵩上部の上前板の演奏者側に取り付けられるとともに、前記嵩上部から取外自在に構成され、
前記嵩上部は、
前記上前板の下端に、演奏者側に向かって延出された下屋根と、
該下屋根上に形成された嵌合溝と、
前記上前板の前記下屋根よりも上方部分に設置された引掛手段と
を備え、
前記譜面台は、
該譜面台の裏面に立設され、前記嵌合溝に係合する鈎状部を先端に備える第１アーム具と、
前記第１アーム具より上方の前記譜面台の裏面に立設され、前記引掛手段に係合自在な第２アーム具と
を備えることを特徴とする電子鍵盤楽器。
【請求項２】
前記譜面台は、譜面の裏面を支持する支持面が、演奏者側に向かって斜め上方を向くよう前記上前板の演奏者側に設置されることを特徴とする請求項１記載の電子鍵盤楽器。
【請求項３】
前記第２アーム具が、前記第１アーム具より短尺であることを特徴とする請求項１〜２の何れかに記載の電子鍵盤楽器。
【請求項４】
前記下屋根上に平行に形成された複数の前記嵌合溝を備えることを特徴とする請求項１〜３の何れか記載の電子鍵盤楽器。
【発明の詳細な説明】
【０００１】
【発明の属する技術分野】
本発明は、演奏部の非演奏者側に、演奏部より嵩上げされた嵩上部を備える電子鍵盤楽器に関する。
【０００２】
【従来の技術】
従来より、電子ピアノは、鍵盤等が設置された演奏部の非演奏者側に立てかけられる譜面台を備えている。そしてこの譜面台には２種類あり、鍵盤蓋を兼用するものと、鍵盤蓋とは別の専用の譜面台とがある。このうち前者は、演奏部の非演奏者側に設けられた回転軸を支点に鍵盤蓋を起こして演奏部の非演奏者側に立てかけ、鍵盤蓋の裏面を、譜面を支持する支持面として利用するものである。一方後者は、非使用時に演奏部の非演奏者側に伏せられており、演奏者側に設けられた回転軸を支点に譜面台を起こして、その裏面側をつっかえ棒等で支持する構成となっている。
【０００３】
【発明が解決しようとする課題】
ところで、本願発明者は、図５に示すように、演奏部１０３の非演奏者側にピアノを模した嵩上部１０５を設け、ピアノに似た高級感が与えられた電子ピアノ１００を制作した。ただ、この電子ピアノ１００では、鍵盤蓋１０３ａを兼用した譜面台を採用しなかった。演奏部１０３の非演奏者側に回転軸を設け、この回転軸を支点に鍵盤蓋１０３ａを起こそうとすると、嵩上部１０５が邪魔になるからである。そしてこの電子ピアノ１００では、専用の譜面台１０７を嵩上部１０５の天板上に設置し、鍵盤蓋１０３ａについては、電子ピアノ１００の本体内に演奏者側から非演奏者側にスライドさせて収納する構成とした。
【０００４】
しかし、この電子ピアノ１００では、演奏者は、譜面台１０７に置かれた譜面を見ながら演奏しようとすると、嵩上部１０５の高さ分だけ首を上下に振らねばならず、譜面が見づらいという問題があった。
また、この電子ピアノ１００では、天板１０８の上に、例えば自動演奏用のコンピュータ等が設置されることが想定されるので、この場合、天板１０８の上に譜面台１０７が設置されていると、譜面台１０７が邪魔になるという問題があった。
【０００５】
そこで、本発明では、嵩上部が設けられていても、譜面を見やすい位置に譜面台を設置でき、しかも、不要なときは譜面台を取り外すこともできる電子鍵盤楽器を提供することを目的とする。
【０００６】
【課題を解決するための手段及び効果】
上記目的を達成するための請求項１記載の発明は、演奏部より上方に嵩上げされた嵩上部を前記演奏部の非演奏者側に備え、該嵩上部に譜面台が設置される電子鍵盤楽器であって、
前記譜面台は、前記嵩上部の上前板の演奏者側に取り付けられるとともに、前記嵩上部から取外自在に構成され、
前記嵩上部は、
前記上前板の下端に、演奏者側に向かって延出された下屋根と、
該下屋根上に形成された嵌合溝と、
前記上前板の前記下屋根よりも上方部分に設置された引掛手段と
を備え、
前記譜面台は、
該譜面台の裏面に立設され、前記嵌合溝に係合する鈎状部を先端に備える第１アーム具と、
前記第１アーム具より上方の前記譜面台の裏面に立設され、前記引掛手段に係合自在な第２アーム具と
を備えることを特徴とする。
【０００７】
この請求項１記載の電子鍵盤楽器の譜面台が設置された上前板の手前側は、演奏部を挟んで演奏者から最も近い位置なので、この位置に譜面が置かれていれば、演奏者は譜面を楽に見ることができる。従って、この請求項１記載の電子鍵盤楽器を用いれば、嵩上部が設けられていても、譜面を見やすい位置に譜面台を設置することができる。
【０００８】
またこの請求項１記載の電子鍵盤楽器では、譜面台が、嵩上部から取外自在に構成されているので、例えば、嵩上部の天板の上にコンピュータを設置している演奏者が、その天板よりも高い位置に譜面台の先端が来て、譜面台が邪魔になるような場合に、譜面台を取り外すことで、天板上のコンピュータ等を譜面台に邪魔されることなく利用することができる。もちろん、目隠し演奏（譜面を見ないでする演奏）など、譜面台が必要ない場合に、譜面台を取り外してもよい。
この請求項１記載の電子鍵盤楽器を用いると、第１アーム具と第２アーム具とを譜面台の裏面に設置し、電子鍵盤楽器側に嵌合溝と引掛手段を設置するだけで、譜面台を上前板の演奏者側に取り外し自在に設置することができる。また、この請求項１記載の電子鍵盤楽器を用いると、第１アーム具の鈎上部を嵌合溝に挿入して、第２アーム具を引掛手段に引っかける簡単な操作で電子鍵盤楽器に設置することができる。
【０００９】
次に、請求項２記載の発明のように、譜面台は、譜面の裏面を支持する支持面が、演奏者側に向かって斜め上方を向くよう上前板の演奏者側に設置されることが好ましい。このように設置されていたほうが、譜面を譜面台に設置しやすいからである。
【００１２】
次に、請求項３記載の発明のように、本発明の電子鍵盤楽器は、第２アーム具が、第１アーム具より短尺であることが好ましい。このように構成すると、譜面台を電子鍵盤楽器に取り付ければ、譜面台の表面が、演奏者側に向かって自然に斜め上方を向くからである。
【００１３】
次に、請求項４記載の発明のように、下屋根上に、複数の嵌合溝が平行に形成されていることが好ましい。このように構成すると、鈎上部を何れかの嵌合溝に嵌合させるだけで、好ましい角度で譜面台を設置することができるからである。
【００１４】
【発明の実施の形態】
以下、本発明が適用された実施形態について説明する。
尚、以下の説明で利用する図面のうち、図１は本実施形態の電子ピアノの斜視図、図２は本実施形態の電子ピアノから譜面台を取り外した分解斜視図、図３は、嵌合溝を通る切断面で電子ピアノを切断した断面図で、（ａ）は、第１アーム具の先端を嵌合溝に挿入する様子を示し、（ｂ）は、第２アーム具を引掛具に係合させる様子を示し、（ｃ）は、第１アーム具及び第２アーム具を用いて電子ピアノ１に譜面台が取り付けられた様子を示している。
【００１５】
本実施形態の電子ピアノ１は、図１に示すように、鍵盤や各種スイッチ類が取り付けられた演奏部３を覆う鍵盤蓋３０を演奏者側から非演奏者側にスライドさせて（図中の矢印Ａの方向）、演奏部３の非演奏者側の電子ピアノ本体１０内に鍵盤蓋３０を収納するよう構成されたものである。また、この電子ピアノ１は、演奏部３の非演奏者側に、演奏部３より上方に嵩上げされた嵩上部５が形成されている。そしてこの嵩上部５を構成する上前板５０の下端に、演奏者側に向かって延設された下屋根５２が形成され、この下屋根５２上に譜面台７が設置されている。
【００１６】
また、本実施形態の電子ピアノ１は、図２及び図３（ｃ）に示すように、下屋根５２上であって上前板５０の近傍に、演奏者側から見て左右方向に長尺な２つの嵌合溝５４，５４が形成されている。そして、上前板５０の下屋根５２よりも上方部分であって、嵌合溝５４，５４の左右方向のほぼ中間地点には、引掛具５６が取り付けられている。この引掛具５６は、図３（ｃ）に示すように、長方形状の金属片の先端をＬ字状に折ったものである。この引掛具５６は、先端の折られた片５６ｂが上前板５０の手前側に配置されるよう、他方の片５６ａを、上前板５０の上端と天板５８との間に挟まれる位置に固定することで、嵩上部５に固定される。また本実施形態の電子ピアノ１は、天板５８が上前板５０の手前側に少し突き出したように組み立てられており、片５６ｂはこの天板５８の突き出た部分５８ａに隠れるように、その下部に配置される。尚、天板５８の突き出た部分５８ａは、図２に示すように、演奏者側に譜面台７を取り付ける部分５８ｂが円弧状に切り取られたデザインになっている。
【００１７】
また、本実施形態の電子ピアノ１の譜面台７は、図２に示すように、裏面に立設され、嵌合溝５４，５４に係合する鈎状部７０ａ，７０ａが先端に形成された第１アーム具７０，７０と、第１アーム具７０，７０より上方の譜面台７の裏面に立設され、引掛具５６の片５６ｂに右方向から左方向に係合させることができる係合孔７２ａが形成された第２アーム具７２を備えている。そして、この第２アーム具７２は、譜面台７に対し立設された部分の長さが、第１アーム具７０より短尺に形成されている。
【００１８】
以上のように構成された電子ピアノ１に譜面台７を取り付けるには以下のようにする。
まず、図３（ａ）に示すように、第１アーム具７０，７０の先端の鈎状部７０ａ，７０ａを嵌合溝５４，５４の右横の下屋根５２上に載せ、係合孔７２ａが引掛具５６の右横にくるまで譜面台７を傾ける。そして、譜面台７を、係合孔７２ａに引掛具５６が係合する位置まで左方向にスライドさせる。その位置までくると、図３（ｂ）に示すように、譜面台７の自重で、第１アーム具７０，７０の鈎状部７０ａ,７０ａが嵌合孔５４，５４に嵌合し、図３（ｃ）に示すように、第１アーム具７０，７０の譜面台７に対し立設された部分が下屋根５２に当接して、譜面台７が下屋根５２上に乗り、譜面台７が上前板５０の手前側に設置される。
【００１９】
一方、譜面台７を電子ピアノ１からはずすには、譜面台７を持ち上げて、鈎状部７０ａ，７０ａを嵌合溝５４，５４から抜き、譜面台７を右方向にスライドさせて、引掛具５６と第２アーム具７２との係合を解けばよい。
以上説明した本実施形態の電子ピアノ１を用いると以下のような効果がある。
【００２０】
まず、本実施形態の電子ピアノ１の譜面台７が設置された上前板５０の手前側（演奏者側）は、演奏部５０を挟んで演奏者から最も近い位置であるので、本実施形態のようにこの位置に譜面を設置すれば、演奏者は譜面を楽に見ることができる。従って、本実施形態の電子ピアノ１を用いれば、嵩上部５が設けられていても、譜面を見やすい位置に譜面台７を設置することができる。
【００２１】
また、本実施形態の電子ピアノ１では、譜面台７が、嵩上部５から取外自在に構成されているので、例えば、嵩上部５の天板５８の上にコンピュータを設置し、譜面台７が天板５８よりも高い位置に来て邪魔な場合、譜面台７を取り外すことで、天板５８上のコンピュータ等を譜面台７に邪魔されることなく利用することができる。もちろん、目隠し演奏（譜面を見ないでする演奏）など、譜面台７が必要ない場合に、譜面台７を取り外してもよい。
【００２２】
本実施形態の電子ピアノ１を用いると、第１アーム具７０，７０と第２アーム具７２とを譜面台７の裏面に設置し、電子ピアノ１側に嵌合溝５４，５４と引掛具５６を設置する簡単な構成で、譜面台７を上前板５０の演奏者側に設置することができ、しかも、譜面台７を自在に取り外すことができる。また、本実施形態の電子ピアノ１を用いると、第２アーム具７２を引掛具５６に引っかけ、第１アーム具７０，７０の鈎上部７０ａ，７０ａが嵌合溝５４，５４に挿入する位置までスライドさせる簡単な操作で電子ピアノ１に設置することができる。
【００２３】
また、本実施形態の電子ピアノ１のように、第２アーム具７２が、第１アーム具７０，７０より短尺に形成され、譜面台７を電子ピアノ１に取り付ければ、譜面を支持する譜面台７の支持面が、演奏者側に向かって自然に斜め上方を向くので、譜面台７に譜面を設置しやすい。
【００２４】
尚、本発明の実施の形態は、上記実施形態に何ら限定されるものではなく、本発明の技術的範囲に属する限り種々の形態を採り得ることはいうまでもない。
例えば、図４に示すように、下屋根５２上に、複数の嵌合溝５４を平行に形成してもよい。このように複数の嵌合溝５４を形成すると、これらの嵌合溝５４の何れかに鈎上部７０ａを嵌合させるだけで、譜面台７の支持面の角度を好ましい角度で設置することができる。
【図面の簡単な説明】
【図１】  本実施形態の電子ピアノの斜視図である。
【図２】  本実施形態の電子ピアノから譜面台を取り外した分解斜視図である。
【図３】  本実施形態の電子ピアノを側面から見た、嵌合溝を通る切断面で電子ピアノを切断した断面図で、（ａ）は、第１アーム具の先端を嵌合溝に挿入する様子を示し、（ｂ）は、第２アーム具を引掛具に係合させる様子を示し、（ｃ）は、第１アーム具及び第２アーム具を用いて電子ピアノに譜面台が取り付けられた様子を示している。
【図４】  本実施形態の電子ピアノを側面から見た、嵌合溝を通る切断面の断面図で、上前板が設置された部分の拡大図である。
【図５】  嵩上部が形成された従来の電子ピアノの斜視図である。
【符号の説明】
１…電子ピアノ、３…演奏部、５…嵩上部、７…譜面台、１０…電子ピアノ本体、３０…鍵盤蓋、５０…上前板、５２…下屋根、５４…嵌合溝、５６…引掛具、５８…天板、７０…第１アーム具、７２…第２アーム具
【図１】
0003817458.tif 000002
【図２】
0003817458.tif 000003
【図３】
0003817458.tif 000004
【図４】
0003817458.tif 000005
【図５】
0003817458.tif 000006